(57)【特許請求の範囲】
【請求項１】
電気信号によって入射光の光路を切り替える光路切替装置であって、
該光路切替装置は、液晶／高分子複合体の屈折率の変化に応じて入射光に対する出射光の偏向角度が変化する光偏向素子をそれぞれ二つ備えた第一の光路切替デバイスと第二の光路切替デバイスとを有し、
前記各光路切替デバイスが備える各前記光偏向素子は、高分子マトリクス中に液晶材料を分散保持した液晶／高分子複合体と、該液晶／高分子複合体の屈折率を変化させるための電圧を印加する光透過性の電極とを有し、該液晶／高分子複合体の屈折率の変化に応じて入射光に対する出射光の偏向角度が変化する光偏向素子であって、前記液晶／高分子複合体は、光路上で対向する二面において、一方の面が他方の面に対して所定の角度で傾斜する傾斜領域を有し、前記電極は、前記対向する二面の表面に配され、
各前記光路切替デバイスは、第一の光偏向素子で偏向された光が、一定間隔をおいて設置された第二の光偏向素子によって入射光と平行になるように該第一の光偏向素子および該第二の光偏向素子が配置され、
第一の光路切替デバイスの前記傾斜領域の最大傾斜方向と、第二の光路切替デバイスの前記傾斜領域の最大傾斜方向とが直交するように配置されてなることを特徴とする光路切替装置。
【請求項２】
前記液晶は、入射光の波長以下の粒径を有するドロップレットであることを特徴とする請求項１に記載の光路切替装置。
【請求項３】
前記液晶／高分子複合体における全ての液晶分子が電圧無印加時に一方向に配列していることを特徴とする請求項１または２に記載の光路切替装置。
【請求項４】
前記傾斜領域は、断面が鋸歯形状の周期構造を有することを特徴とする請求項１乃至３のいずれか１に記載の光路切替装置。
【請求項５】
前記液晶／高分子複合体の対向する二面の表面に保持基板を設けることを特徴とする請求項１乃至４のいずれか１に記載の光路切替装置。
【請求項６】
前記第一の光偏向素子の出射側保持基板と前記第二の光偏向素子の入射側保持基板とが一枚の基板によって一体に構成されていることを特徴とする請求項５に記載の光路切替装置。
【請求項７】
入射光の波長に応じて前記第一の光偏向素子と前記第二の光偏向素子とに印加する電圧を制御する電圧制御機構を有することを特徴とする請求項１に記載の光路切替デバイス。
【請求項８】
少なくとも、画像情報にしたがって光を制御することが可能な複数の画素を二次元的に配列した画像表示素子と、該画像表示素子を照明する光源と、前記画像表示素子に表示した画像パターンを観察するための光学部材と、画像フィールドを時間的に分割した複数のサブフィールドごとに前記画像表示素子と前記光学部材との間の光路を偏向する請求項１ないし７のいずれか１に記載の光路切替装置による光路切替手段を備えることを特徴とする画像表示装置。
【発明の詳細な説明】
【０００１】
【発明の属する技術分野】
本発明は、電気信号によって光の方向を変える光偏向素子、光路切替デバイスおよび該光偏向素子又は光路切替デバイスを用いた画像表示装置に関し、プロジェクションディスプレイ、ヘッドマウントディスプレイなどの電子ディスプレイ装置に応用可能な光路切替装置および画像表示装置に関する。
【０００２】
【従来の技術】
電気信号などの外部からの信号により光の光路を偏向、すなわち入射光に対して出射光の光軸を平行にシフトさせるか、ある角度をもって回転させるか、あるいはその両者を組み合わせて光路を切り替えることが可能な光偏向素子として、従来、ＫＨ2ＰＯ4（ＫＤＰ），ＮＨ4Ｈ2ＰＯ4（ＡＤＰ），ＬｉＮｂＯ3，ＬｉＴａＯ3，ＧａＡｓ，ＣｄＴｅなど１次の電気光学効果（ポッケルス効果）の大きな材料や、ＫＴＮ，ＳｒＴｉＯ3，ＣＳ2，ニトロベンゼン等の２次の電気光学効果の大きな材料を用いた電気光学デバイスや、ガラス、シリカ、ＴｅＯ2などの材料を用いた音響光学デバイスが知られている（例えば、青木昌治編；「オプトエレクトロニックデバイス」、昭晃堂）。これらは、一般的に、十分大きな光偏向量を得るためには光路長を長く取る必要があり、また、材料が高価であるため用途が制限されている。
一方で、液晶材料を用いた光偏向素子なる光学素子も各種提案されており、その数例を挙げると、以下に示すような提案例がある。
【０００３】
例えば、特開平６−１８９４０号公報によれば、光空間スイッチの光の損失を低減することを目的に、人工複屈折板からなる光ビームシフタが提案されている。内容的には、２枚のくさび形の透明基板を互いに逆向きに配置し、該透明基板間に液晶層を挟んだ光ビームシフタ、及びマトリクス形偏向制御素子の後面に前記光ビームシフタを接続した光ビームシフタが提案され、併せて、２枚のくさび形の透明基板を互いに逆向きに配置し、該透明基板間にマトリクス駆動が可能で、入射光ビームを半セルシフトする液晶層を挟んだ光ビームシフタを半セルずらして多段接続した光ビームシフタが提案されている。
しかし上記特開平６−１８９４０号公報例においては、液晶材料にネマチック液晶を用いているため、応答速度をサブミリ秒にまで速めることは困難であり、高速なスイッチングが必要な用途には用いることはできない。
【０００４】
また、特開平９−１３３９０４号公報によれば、大きな偏向を得ることが可能で、偏向効率が高く、しかも、偏向角と偏向距離とを任意に設定することができる光偏向スイッチが提案されている。具体的には、２枚の透明基板を所定の間隔で対向配置させ、対向させた面に垂直配向処理を施し、透明基板間にスメクチックＡ相の強誘電性液晶を封入し、前記透明基板に対して垂直配向させ、スメクチック層と平行に交流電界を印加できるように電極対を配置し、電極対に交流電界を印加する駆動装置を備えた液晶素子である。即ち、スメクチックＡ相の強誘電性液晶による電傾効果を用い、液晶分子の傾斜による複屈折によって、液晶層に入射する偏光の屈折角と変位する方向を変化できるようにしたものである。
しかし上記特開平９−１３３９０４号公報の例においては、スメクチックＡ相の強誘電液晶を用いているが、スメクチックＡ相は自発分極を持たないため、高速動作は望めない。
【０００５】
次にピクセルシフト素子に関して従来提案されている技術を数例挙げて説明する。ここでいうピクセルシフト素子とは、少なくとも画像情報にしたがって光を制御可能な複数の画素を二次元的に配列した画像表示素子と画像表示素子を照明する光源と、画像表示素子に表示した画像パターンを観察するための光学部材と、画像フィールドを時間的に分割した複数のサブフィールドごとに画像表示素子と光学部材との間の光路を偏向する光偏向手段とを有し、光偏向手段によりサブフィールドごとの光路の偏向に応じて表示位置がずれている状態の画像パターンを表示させることで、画像表示素子の見かけの画素数を倍増して表示する画像表示装置における光偏向手段を意味する。
【０００６】
例えば、特許第２９３９８２６号に示されるように、表示素子に表示された画像を投影光学系により、スクリーン状に拡大投影する投影表示装置において、前記表示素子から前記スクリーンに至る光路の途中に透過光の偏光方向を旋回できる光学素子を少なくとも一つ以上と、複屈折効果を有する透明素子を少なくとも一つ以上有してなる投影画像をシフトする手段と、前記表示素子の開口率を実効的に低減させ、表示素子の各画素の投影領域が前記スクリーン上で離散的に投影される手段とを備えた投影表示装置がある。
【０００７】
同公報の例では、偏光方向を旋回できる光学素子（旋光素子と呼ぶ）を少なくとも一つ以上と複屈折効果を有する透明素子（複屈折素子と呼ぶ）を少なくとも一つ以上有してなる投影画像シフト手段（ピクセルシフト手段）によりピクセルシフトを行っているが、問題点として、旋光素子と複屈折素子とを組み合わせて使用するため、光量損失が大きいこと、光の波長によりピクセルシフト量が変動し解像度が低下しやすいこと、旋光素子と複屈折素子との光学特性のミスマッチから、本来、画像が形成されないピクセルシフト外の位置に漏れ光によるゴーストなどの光学ノイズが発生しやすいこと、素子化のためのコストが大きいことが挙げられる。特に、複屈折素子に前述したようなＫＨ2ＰＯ4（ＤＫＰ）、ＮＨ4Ｈ2ＰＯ4（ＡＤＰ）、ＬｉＮｂＯ3、ＬｉＴａＯ3、ＧａＡｓ、ＣｄＴｅなど一次の電気光学効果（ポッケルス効果）の大きな材料を使用した場合に顕著である。
【０００８】
また、特開平５−３１３１１６号公報に示される投影機においては、制御回路により、画像蓄積回路に蓄積した本来表示すべき画像を市松状に画像選択回路へサンプリングして順次空間光変調器に表示し、投影させ、さらに、制御回路により、この表示に対応させてパネル揺動機構を制御して空間光変調器の隣接画素ピッチ距離を整数分の一ずつ移動させることで、本来表示すべき画像を時間的な合成により再現するようにしている。これにより、空間光変調器の画素の整数倍の分解能で画像を表示可能にするとともに、画素の粗い空間光変調器と簡単な光学系を用いて安価に投影機を構成可能としている。
【０００９】
ところが、同公報の例では、画像表示用素子自体を画素ピッチよりも小さい距離だけ高速に揺動させるピクセルシフト方式が記載されており、この方式では、光学系は固定されているので諸収差の発生が少ないが、画像表示素子自体を正確かつ高速に平行移動させる必要があるため、可動部の制度や耐久性が要求され、振動や音が問題となる。
【００１０】
さらに、特開平６−３２４３２０号公報によれば、ＬＣＤなどの画像表示装置の画素数を増加させることなく、表示画像の解像度を見かけ上向上させるため、縦方向および横方向に配列された複数個の画素のおのおのが、表示画素パターンに応じて発光することにより画像が表示される画像表示装置と、観測者またはスクリーンとの間に光路をフィールドごとに変更する光学部材を配し、また、フィールドごとに、前記光路の変更に応じて表示位置がずれている状態の表示画素パターンを画像表示装置に表示させるようにしている。ここに、屈折率が異なる部位が画像情報のフィールドごとに交互に画像表示装置と観測者又はスクリーンとのあいだの光路中に現れるようにすることで、前記光路の変更が行われるものである。
【００１１】
同公報の例では、光路を変更する手段として、電気光学素子と複屈折材料との組み合わせ機構、レンズシフト機構、バリアングルプリズム、回転ミラー、回転ガラスなどが記述されており、上記旋光素子と複屈折素子を組み合わせてなる方式の他に、ボイスコイル、圧電素子などによりレンズ、反射板、複屈折板などの光学素子を変位（平行移動または傾斜）させて光路を切り替える方式が提案されているが、この方式では、光学素子を駆動するために構成が複雑となり、コストが高くなる。
【００１２】
また、特開平１０−１３３１３５号公報によれば、回転機械要素を不要化でき、全体の小型化、高精度・高分解能化を実現でき、しかも外部からの振動の影響を受けにくい光ビーム偏向装置が提案されている。具体的には光ビームの進行路上に配置される透光性の圧電素子と、この圧電素子の表面に設けられた透明の電極と、圧電素子の光ビーム入射面Ａと光ビーム出射面Ｂとの間の光路長を変化させて光ビームの光軸を偏向させるために電極を介して圧電素子に電圧を印加する電圧印加手段とを備えている。
【００１３】
同公報の例では、透光性の圧電素子を透明の電極で挟み、電圧を印加することで厚みを変化させて光路をシフトさせる方式が提案されているが、比較的大きな透明圧電素子を必要とし装置コストがアップするなど、前述の特開平６−３２４３２０号公報の場合と同様の問題点がある。
【００１４】
上記の従来技術では不充分であった高速性を改善し、構成の簡素化と低コスト化を目的に、本発明者らは先に透明な一対の基板と、これら基板間に充填されたホモジニアス配向されたキラルスメクチックＣ相よりなる液晶とを、一対手の前記基板と前記液晶との間に形成された電極対による電界印加手段とを備え、光の入射方向が基板面法線方向と異なる方向に設定されている光偏向素子および、透明な一対の基板と、これらの基板間に充填されたキラルスメクチックＣ相よりなる液晶と、少なくとも一組以上の電界印加手段とを備え、前記液晶を挟む前記両基板面が光偏向方向に対応して傾斜して対向する光偏向素子および、光進行方向上に所定距離を隔てて上記の光偏向素子を二組備える光路切替デバイスを提供した。
【００１５】
上記本発明者らが提出した光偏向素子および光路切替デバイスでは、液晶材料としてキラルスメクチックＣ相の液晶を用いているので上記従来技術と比べて高速なスイッチングが可能であるが、入射光として偏光を使わなければならないため、偏光変換が必要となって素子およびデバイスの大型化やコストアップとなってしまう。また、キラルスメクチックＣ相は均一な配向が難しく、とくに基板間隔が非平行の場合には困難である。さらにキラルスメクチックＣ相の液晶は高速動作するとはいえ、その動作速度はサブミリ秒（数１００μｓ）であり、充分でない場合がある。
【００１６】
【発明が解決しようとする課題】
本発明は上記問題点を解決し、高速な光路切替装置および光路切替装置を用いた画像表示装置を提供することを目的とする。より具体的には、光路を直交する二方向にシフトさせることができる光路切替装置を提供すること、および画素数の少ない画像表示素子を用いて、見かけ上高精細で光利用効率の高い画像表示装置を提供すること、をその目的とする。
【００１７】
【課題を解決するための手段】
請求項１の発明は、電気信号によって入射光の光路を切り替える光路切替装置であって、該光路切替装置は、液晶／高分子複合体の屈折率の変化に応じて入射光に対する出射光の偏向角度が変化する光偏向素子をそれぞれ二つ備えた第一の光路切替デバイスと第二の光路切替デバイスとを有し、前記各光路切替デバイスが備える各前記光偏向素子は、高分子マトリクス中に液晶材料を分散保持した液晶／高分子複合体と、該液晶／高分子複合体の屈折率を変化させるための電圧を印加する光透過性の電極とを有し、該液晶／高分子複合体の屈折率の変化に応じて入射光に対する出射光の偏向角度が変化する光偏向素子であって、前記液晶／高分子複合体は、光路上で対向する二面において、一方の面が他方の面に対して所定の角度で傾斜する傾斜領域を有し、前記電極は、前記対向する二面の表面に配され、各前記光路切替デバイスは、第一の光偏向素子で偏向された光が、一定間隔をおいて設置された第二の光偏向素子によって入射光と平行になるように該第一の光偏向素子および該第二の光偏向素子が配置され、第一の光路切替デバイスの前記傾斜領域の最大傾斜方向と、第二の光路切替デバイスの前記傾斜領域の最大傾斜方向とが直交するように配置されてなることを特徴としたものである。
【００１８】
請求項２の発明は、請求項１の発明において、前記液晶は、入射光の波長以下の粒径を有するドロップレットであることを特徴としたものである。
【００１９】
請求項３の発明は、請求項１または２の発明において、前記液晶／高分子複合体における全ての液晶分子が電圧無印加時に一方向に配列していることを特徴としたものである。
【００２０】
請求項４の発明は、請求項１乃至３のいずれか１の発明において、前記傾斜領域は、断面が鋸歯形状の周期構造を有することを特徴としたものである。
【００２１】
請求項５の発明は、請求項１乃至４のいずれか１の発明において、前記液晶／高分子複合体の対向する二面の表面に保持基板を設けることを特徴としたものである。
【００２３】
請求項６の発明は、請求項５の発明において、前記第一の光偏向素子の出射側保持基板と前記第二の光偏向素子の入射側保持基板とが一枚の基板によって一体に構成されていることを特徴としたものである。
【００２４】
請求項７の発明は、請求項１の発明において、入射光の波長に応じて前記第一の光偏向素子と前記第二の光偏向素子とに印加する電圧を制御する電圧制御機構を有することを特徴としたものである。
【００２７】
請求項８の発明は、少なくとも、画像情報にしたがって光を制御することが可能な複数の画素を二次元的に配列した画像表示素子と、該画像表示素子を照明する光源と、前記画像表示素子に表示した画像パターンを観察するための光学部材と、画像フィールドを時間的に分割した複数のサブフィールドごとに前記画像表示素子と前記光学部材との間の光路を偏向する請求項１ないし７のいずれか１に記載の光路切替装置による光路切替手段を備えることを特徴としたものである。
【００２８】
【発明の実施の形態】
（構成・動作）
本発明の特徴は、高分子マトリクス中に液晶材料を分散保持した液晶／高分子複合体（以下、液晶／高分子複合体と記す）の対向する二面が所定の角度で対向するような傾斜領域を有し、前記対向する二面の表面に光を透過する電極を設けることを特徴とする光偏向素子にある。
【００２９】
光が液晶／高分子複合体の所定の角度（αとする）で対向する二面のうちの一面（入射面と記す）から入射して、対向する面（出射面と記す）から出射するとすると、この二面は所定の角度で対向しているので、入射光は液晶／高分子複合体の屈折率と空気の屈折率および入射時の入射角で決まる角度だけ偏向する。いま、入射光が入射面に垂直に入射する場合を考えると、次の式（１）の関係がある。
ｎ・ｓｉｎα＝ｓｉｎ（θ＋α）      （１）
【００３０】
ここでｎは液晶／高分子複合体の屈折率、θは入射光に対する出射光の偏向角である。式（１）からわかるように、液晶／高分子複合体の屈折率が変化すると偏向角θが変化する。後述するように、液晶／高分子複合体は光路に対して垂直に電界を印加する場合には入射光の偏光状態に依存せずに高速で屈折率を変えることができる。
【００３１】
液晶／高分子複合体としては、例えば液晶材料を高分子被膜で包含した微小なカプセルをバインダー樹脂を用いて接合したものや、液晶材料と高分子材料（あるいはその前駆体）の混合体から液晶材料を相分離させた、いわゆる高分子分散液晶などがある。いずれにしてもその構造は液晶ドロップレットを高分子マトリクス中に分散したものとなり、その応答速度は液晶ドロップレットの粒径を小さくするにつれて速くなることが実験的にわかっており、特に入射光の波長程度以下の粒径にすることが、散乱が減少し光透過率が高くなる、すなわち光損失が著しく小さくなることから好ましい。
【００３２】
電圧無印加時に全ての液晶分子が一方向に配列していてもよい。この方向を電圧印加時に液晶分子が揃う方向（電界方向）とほぼ直交させることにより大きな屈折率差が得られる。このとき入射光の偏光方向によって屈折率差の依存性が生じるが、入射光の偏光方向を電圧無印加時の液晶分子の配列方向と一致させることで、大きな偏向角変化を得ることが可能となる。
【００３３】
前記の傾斜領域は、断面が鋸歯形状の周期構造であることが望ましい。これにより、傾斜領域が大きくなっても入射面と出射面との面間隔がほぼ一定となるので、大面積の光偏向素子を形成することが容易となる。
【００３４】
さらに、光路となる前記液晶／高分子複合体の対向する二面の表面に保持基板を設けることで液晶／高分子複合体の保持性および表面の面精度が向上したり、液晶／高分子複合体が保護されるため、高信頼性が得られる。
【００３５】
本発明の別の形態は、上記の光偏向素子を二つ用いて、第一の光偏向素子で偏向された光が一定間隔を置いて設置された第二の光偏向素子に入射し、第二の光偏向素子を出射した光が元の入射光と平行になるように第一の光偏向素子と第二の光偏向素子が配置されている光路切替デバイスを備えた光路切替装置にある。これによって光路を平行に切り替えることが可能となる。
【００３６】
さらに、上記光路切替デバイスのうち、保持基板を設けた光偏向素子を用いた光路切替デバイスにおいて、第一の光偏向素子の出射側保持基板と第二の光偏向素子の入射側保持基板とが一枚の基板で一体的に構成されていることを特徴としている。これにより低コストな光路切替デバイスを備えた光路切替装置を提供することができる。
【００３７】
また、別の形態は、上記光路切替デバイスで、入射光の波長に応じて第一の光偏向素子と第二の光偏向素子に印加する電圧を制御する電圧制御機構を有することを特徴としている。これにより、入射光の波長が変化しても一定の光路シフト量が得られる光路切替デバイスを備えた光路切替装置を提供することができる。
【００３８】
さらにべつの形態では、上記光路切替デバイスで、入射光の波長に応じて前記第一の光偏向素子と前記第二の光偏向素子との間隔を変動させる変動機構を有することを特徴としている。これにより、入射光の波長が変化しても一定の光路シフト量が得られる光路切替デバイスを備えた光路切替装置を提供することができる。
【００３９】
本発明のさらに別の形態は、上記の光路切替デバイスを二つ用いて、第一の光路切替デバイスの傾斜領域の最大傾斜方向と、第二の光路切替デバイスの傾斜領域の最大傾斜方向とがおおむね直交するように配置されてなることを特徴とする光路切替装置である。これにより直交する二方向に独立に光路を切り替えることが可能となる。
【００４０】
さらに、二次元の画像表示素子の画像を、上記の光路切替デバイスまたは光路切替装置を用いて、画像フィールドを時間分割した複数のサブフィールドごとに光路切替を行うことで、画像表示素子の画素数以上の画像を形成することが可能となる。画像表示素子は画素数が多くなると歩留まりその他の問題などで、製作することが困難となってくる。しかし、本発明を用いることで、比較的容易に画素数を増大することが可能となる。
【００４１】
実施の形態１
図１は、本発明の第一の実施形態を説明するための図である。
入射面１１および出射面１２が所定の角度αをもって対向している液晶／高分子複合体１４の入射面１１に光線２０を入射する。前述の式（１）に示したように、光線２０は出射面１２で液晶／高分子複合体１４の屈折率ｎとその周りの雰囲気（通常は空気）の屈折率および入射面１１と出射面１２とのなす角αで決まる角度θだけ、入射光に対して偏向される。液晶／高分子複合体の屈折率が変化するとそれに応じて偏向角θが変化する。液晶／高分子複合体の屈折率を変化させるために、入射面１１および出射面１２には光透過性の電極１３が設けられている。
【００４２】
本発明の液晶／高分子複合体１４は、液晶材料を高分子マトリクス中に分散保持した液晶／高分子複合体であり、より具体的には図２に示すように液晶ドロップレット１５をポリマー１６中に分散した高分子分散液晶である。以下に高分子分散液晶についてさらに詳しく述べる。
【００４３】
液晶材料としてはネマチック液晶、スメクチック液晶、コレステリック液晶等を用いることができ、単一もしくは２種類以上の液晶性化合物や液晶性化合物以外の物質も含んだ混合物であってもよい。高分子マトリクス材料としては透明なポリマーが好ましく、熱可塑性樹脂、熱硬化性樹脂、光硬化性樹脂のいずれであってもよい。高分子分散液晶の製法としては、（１）液晶と熱あるいは光硬化（重合）性モノマーやオリゴマーもしくはプレポリマーで溶液を作り、重合によって相分離させる重合相分離法、（２）液晶と高分子と溶剤で溶液を作り、溶剤を蒸発させることによって相分離させる溶媒蒸発相分離法、（３）液晶と熱可塑性高分子を加熱溶解させた後、冷却によって相分離させる熱相分離法などを用いることができる。
【００４４】
ポリマーとしては、製造工程の容易さ、液晶相との分離性等の点から紫外線硬化型の樹脂を用いるのが好ましい。具体的な例として紫外線硬化性アクリル系樹脂が例示され、特に紫外線照射によって重合硬化するアクリルモノマー、アクリルオリゴマーを含有するものが好ましい。このようなモノマーまたはオリゴマーとしては（ポリ）エステルアクリレート、（ポリ）ウレタンアクリレート、エポキシアクリレート、ポリブタジエンアクリレート、シリコーンアクリレート、メラミンアクリレート、（ポリ）ホスファゼンメタクリレート等がある。その他の例として、チオール−エン系も光硬化速度が速いことから好適に使用できる。
【００４５】
重合を速やかに行うために光重合開始剤を用いてもよく、この例としてジクロロアセトフェノンやトリクロロアセトフェノン等のアセトフェノン類、１−ヒドロキシシクロヘキシルフェニルケトン、ベンゾフェノン、ミヒラーケトン、ベンゾイル、ベンゾインアルキルエーテル、ベンジルジメチルケタール、モノサルファイド、チオキサントン類、アゾ化合物、ジアリルヨードニウム塩、トリアリルスルフォニウム塩、ビス（トリクロロメチル）トリアジン化合物等を挙げることができる。また光透過性電極は、金属の薄膜蒸着膜やＩＴＯなど公知の材料を用いることができる。
【００４６】
図２に示すように、電界を印加していない場合には、液晶／高分子複合体１４中の液晶ドロップレット１５は、液晶分子のダイレクタがランダムな方向を向いており、全体としては無配向の状態、すなわち屈折率は等方的となっている。図２（Ｂ）に示すように電界１７を印加すると、液晶ドロップレット１５中の液晶分子のダイレクタはほぼ一方向に配列する。図では電界方向に配列する液晶の例を示している。このとき屈折率は液晶ダイレクタの配向した方向には大きく、液晶ダイレクタと垂直な方向には小さくなる。いま、電界と平行に光路を取るとすると、光路に垂直な面内の屈折率は等方的に小さくなる。以上のように、電界と平行な方向に光路を取ると、液晶／高分子複合体に電界を印加することで、光の偏向に依存することなく屈折率を変化させることができる。液晶／高分子複合体の成形は、紫外線透過性の型に充填して紫外線を照射することで、型の形状を転写してもよいし、後加工で所望の形状に加工しても構わない。
【００４７】
高分子分散液晶における液晶ドロップレットの大きさは、プレポリマーの組成、液晶の混合濃度、硬化時の紫外線強度等を変えることによって変化させることができる。図３は、液晶ドロップレットサイズと応答速度との関係の一例を示したグラフを示すものである。液晶材料として、Ｅ７およびＢＬ２４（メルク社）、プレポリマーとして、ＮＯＡ６０，６５および８１（ノーランド社）を適宜用いた。
【００４８】
図４は、高分子分散液晶の応答速度を測定するための装置の構成例を示す図で、図中、３１はレーザ、３２は偏光子、３３はレンズ、３４は試料、３５はＡｕ電極、３６は高分子分散液晶層、３７はＳｉ基板、３８はレンズ、３９は検光子、４０はパワーメータである。応答速度の測定については、図４に示す装置を用いて、試料３４にパルス電圧（２００Ｖ）を印加した時の光出力の立ち上がり時間（Ｔｏｎ）と立ち下がり時間（Ｔｏｆｆ）を測定した。ただし、図３には、液晶ドロップレットのサイズの影響をより顕著に受ける立ち下がり時間（電圧をオンからオフにしたときの時間）だけを示している。立ち上がり時間（電圧をオフからオンにした時の時間）は主に電界強度に依存し、本光偏向素子を駆動する電界強度では立ち上がり時間は立ち下がり時間よりも速いため、立ち下がり時間で本光偏向素子の応答特性を表すことができる。なお、試料３４は高分子分散液晶層３６の厚さを２０μｍ、光路長を１ｍｍとした。
【００４９】
高分子分散液晶層３６に電界が印加されていない時と印加されている時の様子は前述したように図２に示すとおりである。電界が印加されていない時には液晶ドロップレットの向きはランダムであるので、ｘ軸、ｙ軸、ｚ軸方向の屈折率はどれも等しく、層全体が光学的に等方な媒体になっている。ｚ方向に電界を印加すると、液晶分子の分子軸がこの方向にそろうため、ｚ軸方向の屈折率は大きくなり、ｘ軸およびｙ軸方向の屈折率はお互いに等しいまま、その大きさが小さくなる。図４のように光が電界方向とは垂直のｘ方向から入射される場合、ｙｚ平面に複屈折が生じるために偏光状態を変化させることができ、検光子を通した光出力が変化する。本発明ではこのような複屈折現象は利用しないが、電界印加時の液晶分子の挙動とそれに伴う屈折率変化を利用するので、図３の応答速度は本発明においても同様に適用できる。図３から液晶ドロップレットサイズが小さくなるにつれて応答速度が速くなることがわかる。
【００５０】
さらには、液晶ドロップレットの粒径を入射光の波長程度以下、より望ましくは１／２以下にすることが光透過率の観点から好ましい。以下にレイリー散乱理論から光透過率を計算した結果を示す。体積Ｖの球形散乱体が数密度Ｎで存在する場合、厚さＬの媒体の光透過率Ｔは下記式（２）のように表される。
Ｔ＝ｅｘｐ（−ＮＲＬ），Ｒ＝２４π3（（ｍ2−１）／（ｍ2＋２））2Ｖ2／λ4…（２）
【００５１】
ここで、Ｒは散乱断面積、ｍは散乱体の屈折率と媒体の屈折率の比、λは使用する光の波長である。ｍ＝１.０５、Ｌ＝３μｍとした時の透過率Ｔを散乱体すなわち液晶ドロップレットの粒径ｄ、体積分率（＝ＮＶ）および波長λをパラメータとして計算した。式（２）からわかるようにｄが大きくなる（すなわちＶが大きくなる）ほど、またλが小さくなるほどＴが減少する。また、透過率としては、８０％（Ｔ＝０.８）以上であることが光利用効率の点から好ましい。図５はＴ＝０.８となる粒径を体積分率が１０％（ｄ（０.１））、３０％（ｄ（０.３））および５０％（ｄ（０.５））の場合について、波長に対してプロットしたものである。体積分率が小さいと屈折率変化量が小さく偏向角が小さくなるので、体積分率は１０％以上が好ましく、３０〜５０％程度がより好ましい。これ以上の体積分率では作製が極めて困難になる。この観点から、図５より、光偏向素子として適用される可視〜赤外領域の波長に対しては、ｄが波長λ程度以下であるのが好ましく（ｄ（０.１）の時）、λ／２以下であることがより好ましい（ｄ（０.５）の時）ことがわかる。なお、この計算ではｍおよびＬを固定したが、実デバイスにおいてはこれより小さい値であると考えられるため、上記の粒径範囲であれば問題はない。
【００５２】
具体的な例を示す。ネマチック液晶ＢＬ２４（ｎｏ＝１.５１３，ｎｅ＝１.７１７，メルク社）を紫外線硬化性プレポリマーＮＯＡ８１（ノーランド社）に溶解（液晶重量濃度４５％）し、紫外線（４００ｍＷ／ｃｍ2）を照射したもの（液晶ドロップレットの平均粒径は約６０ｎｍ）を用いて、液晶／高分子複合体の厚さは薄いところで３μｍ、厚いところで６μｍ、入射面と出射面とのなす角が１°の光偏向素子を形成した。無偏向のレーザ光（Ｈｅ−Ｎｅレーザ：波長０.６３２８μｍ）を入射したところ、電界を印加していないときには、偏向角は０.５７°であり、３００Ｖの電圧（平均電界強度２０Ｖ／μｍ）を印加したときには屈折角が０.５４°となり、電界のオン・オフで０.０３°の光路偏向を行うことができた。また、このとき光路偏向に要した時間は１０μｓのオーダーであり、非常に高速に光路偏向を行うことができた。さらに、偏光子を使って入射光を偏光とし、偏光方向を様々な方向に変えて入射させても、無偏光光を入射させた場合と同様に光路偏向を行うことができた。
【００５３】
図６は、本発明の第二の実施形態を説明するための図である。
液晶／高分子複合体１４中の液晶ドロップレット１５に含まれる液晶分子が概略一方向に配列している（図６（Ａ））。この配列方向は電界印加時（図６（Ｂ）の時）に液晶分子が揃う方向（電界方向）とほぼ直交する方向にする。図６（Ａ）では光路に垂直で紙面に平行な方向に配向させている（図６のｚ方向）。このとき液晶／高分子複合体１４の屈折率は光路に垂直な方向に大きく、光路方向には小さい値となる。電界を印加すると（図６（Ａ）の時）液晶分子は電界方向（図６のｘ方向）に配向する。このときの液晶／高分子複合体１４の屈折率は光路方向に大きく、光路に垂直な方向には小さくなる。したがって、入射光を直線偏光とし、偏光方向を電圧を印加していないときの液晶分子の配向方向（図６のｚ方向）にすると、電界のオン・オフによる入射光に対する屈折率変化は実施の形態１の場合よりも大きな値となるので、偏向角θの変化量を大きくすることができる。具体的な例を示す。第一の実施形態と同じ材料および処方の高分子液晶を用いて、紫外線を照射して重合するときに図６のｚ方向に電界を印加することで図６（Ａ）のように液晶ドロップレット１５内の液晶分子を配向させた。ｚ方向に偏光したレーザ光（Ｈｅ−Ｎｅレーザ、波長０.６３２８μｍ）を入射したところ、電界を印加していないときには偏向角は０.６１°であり、３００Ｖの電圧（平均電界強度２０Ｖ／μｍ）を印加したときには偏向角が０.５４°となり、電界のオン・オフによって０.０７°の光路偏向を行うことができた。
【００５４】
実施の形態３
図７は、本発明の第三の実施形態を説明するための図で、光偏向素子の異なる構成例を各々図７（Ａ），図７（Ｂ）に示すものである。ここでは、光偏向素子の入射面１１に対して傾斜して設けられる出射面１２により形成される領域を傾斜領域とする。入射面１１を基準としたとき、基準面と傾斜面とのなす角をα、基準面と平行な方向における傾斜面の長さをＬ、傾斜面における基準面からの距離の差の最大値を最大段差ｄとするとき、傾斜領域を形成する方法として図７（Ａ）に示したように一つの斜面で形成する場合には、最大段差ｄはＬｔａｎαとなり、傾斜領域の長さＬが長くなると最大段差ｄも大きくなってしまう。液晶／高分子複合体に電界を印加する電極は液晶／高分子複合体表面に設けているため、最大段差ｄが大きくなると電界強度が低くなり液晶／高分子複合体の屈折率変化量が小さくなって屈折率変化量が不足する。あるいは充分な屈折率変化を得るために非常に高電圧を印加しなければならなくなる。また、電極間隔が場所によって変わるので、印加電界の強度が場所によって変わってしまい、屈折率変化に分布が発生してしまう。そこでより低電圧で均一に電界を印加するために図７（Ｂ）に示すように断面が鋸歯形状の周期構造を設ける。これにより大面積になっても最大段差ｄを小さくすることができるので、低電圧で駆動することが可能となる。
【００５５】
具体例を示す。実施の形態１と同様の材料および方法で厚い部分が２μｍ、薄い部分が１μｍ、鋸歯形状のピッチが５７μｍ、入射面と出射面のなす角が１°の光偏向素子を形成した。印加電圧が０Ｖおよび３０Ｖ（平均電界強度２０Ｖ／μｍ）で実施の形態１と同様に０.０３°の光路偏向を行うことができた。
【００５６】
実施の形態４
図８は、本発明の第四の実施形態を説明するための概略構成図である。
光偏向素子５０は、液晶／高分子複合体１４の入射面１１および出射面１２の表面に保持基板１８を設けて構成されている。これにより液晶／高分子複合体１４の保持性が向上し、入射面１１および出射面１２の面精度が向上して光線の方向性が安定する。また、液晶／高分子複合体１４を保護することにもなるので、信頼性が向上する。
【００５７】
具体例を示す。光学ガラスＢＫ７（屈折率：ｎｄ＝１.５１７）の表面を深さ（段差ｄ）＝１μｍ、傾斜角（α）＝１°、ピッチ（ｐ）＝５７μｍの鋸歯形状にエッチングした。その後、鋸歯形状の表面にＩＴＯを蒸着し、１μｍのスペーサーで周辺部を保持して別のＩＴＯ付きＢＫ７の平板と張り合わせた。内部にできた空間に実施の形態１と同様の材料を注入し、実施の形態１の条件で紫外線を照射して光偏向素子を形成した。０Ｖおよび３０Ｖの電圧印加によって０.０３°の光路偏向を確認した。保持基板が設けられているので、取り扱いが容易で、光路の偏向量の信頼性も実施の形態２の場合に較べて良好であった。
【００５８】
実施の形態５
図９は、本発明の第五の実施形態について説明するための図で、本発明の光偏向素子を用いた光路切替デバイスの構成例を示すものである。
光路切替デバイス６０は、実施の形態４で示した光偏向素子を二つ用意し（光偏向素子５０ａ，５０ｂ）、第一の光偏向素子５０ａに入射して偏向された光が第二の光偏向素子５０ｂを通ることで、第一の偏向素子５０ａへの入射光と平行に出射するように、第二の光偏向素子５０ｂを配置して構成する。具体的には第二の光偏向素子５０ｂは、入射面が第一の光偏向素子５０ａとは逆の面（例えば、第一の光偏向素子５０ａが平面側を入射面に取った場合には第二の光偏向素子５０ｂは鋸歯形状側を入射面とする）で、傾斜領域の傾斜方向が第一の光偏向素子５０ａと同じ方向（第一及び第二の光偏向素子の傾斜面が互いに平行）になるように設ける。二つの光偏向素子間の距離は、必要な光路シフト量が得られるように設定する。光路シフト量をΔ、第一の光偏向素子５０ａの傾斜領域と第二の光偏向素子５０ｂの傾斜領域との平均距離をＤ、第一の光偏向素子５０ａでの液晶／高分子複合体の屈折率変化に応じた偏向角をθ1およびθ2とすると次の式のようになる。
Δ＝Ｄ（ｔａｎθ2−ｔａｎθ1）      （３）
【００５９】
偏向角θ1およびθ2は式（１）によって液晶／高分子複合体１４の屈折率と関係づけられているので、式（１）および式（３）によって必要な光路シフト量Δから各光偏向素子５０ａ，５０ｂの間隔を決めることが可能となる。以上のように構成した光路切替デバイス６０は第一の光偏向素子５０ａと第二の光偏向素子５０ｂの両方に同時に同じ電圧を印加する。これによって第一の光偏向素子５０ａで偏向された光が、第二の光偏向素子５０ｂを通ることで入射光と平行になり、平行な光路シフト素子を実現できる。
具体例を示す。実施の形態３の光偏向素子を図８の配置でＤ＝１９ｍｍとなるように設置した。二つの光偏向素子に同時に０Ｖまたは３０Ｖの電圧を印加することで、１０μｍの光路シフトが得られた。
【００６０】
実施の形態６
図１０は、本発明の第六の実施形態について説明する図で、光路切替デバイスの他の構成例を示すものである。光路切替デバイス６０’は、液晶／高分子複合体１４は実施の形態４と同様に設けられているが、実施の形態４に示されている第一の光偏向素子５０ａと第二の光偏向素子５０ｂに対応する液晶／高分子複合体１４間に一つの中間基板１９が一体的に設けられている。このときの光路シフト量をΔ、中間基板１９の長さをＤ’、第一の光偏向素子部（入射側の液晶／高分子複合体１４と中間基板１９との間の偏向角）での偏向角をθ1およびθ2とすると次の式のようになる。
Δ＝Ｄ’（ｔａｎθ2−ｔａｎθ1）      （４）
偏向角θ1およびθ2は式（１）によって液晶／高分子複合体の屈折率と関係づけられているので、式（１）および式（４）によって必要な光路シフト量から中間基板１９の厚さを決めることが可能となる。
【００６１】
具体例を示す。厚さ２９μｍの光学ガラスＢＫ７（屈折率：ｎｄ＝１.５１７）の板の両面を図１０に示す中間基板１９の形状（深さ（ｄ）１μｍ、傾斜角（α）１°、ピッチ（ｐ）５７μｍの鋸歯形状）となるようにエッチングした。その後、鋸歯形状の表面にＩＴＯを蒸着して電極１３を形成し、１μｍのスペーサーで周辺部を保持して別のＩＴＯ付きＢＫ７の平板を中間基板１９の両面に張り合わせた。内部にできた空間に実施の形態１と同様の材料を注入し、実施の形態１の条件で紫外線を照射して光路切替デバイス６０’を形成した。二つの液晶／高分子複合体１４に同時に０Ｖまたは３０Ｖの電圧を印加することで、１０μｍの光路シフトが得られた。
【００６２】
実施の形態７
図１１は、本発明の第七の実施形態を説明するための図で、光路切替デバイスの更に他の構成例を示すものである。本実施の形態では、入射光の波長に応じて電圧を制御できる電圧制御機構６１を介して、実施の形態５に示した光路切替デバイス６０’に電圧を印加する。一般に液晶／高分子複合体や保持基板、空気などはその屈折率が光の波長によって異なるので、実施の形態４に示した構成では入射光の波長が変化すると偏向角が変化し、そのため光路シフト量Δが波長によって変わってしまうおそれがある。電圧制御機構６１はこの波長による光路シフト量Δのずれを補正するほうに液晶／高分子複合体１４の屈折率を制御することで、常に一定の光路シフト量Δが得られるようにする。
【００６３】
実施の形態８
図１２は、本発明の第八の実施形態を説明するための図で、光路切替デバイスの更に他の構成例を示すものである。本実施形態では、実施の形態５に示した光路切替デバイス６０で、第一の光偏向素子５０ａに、第一の光偏向素子５０ａと第二の光偏向素子５０ｂとの間隔Ｄを変動させるための変動機構６２を設けている。この変動機構６２は、入射光２０の波長に応じて第一の光偏向素子５０ａと第二の光偏向素子５０ｂとの間隔Ｄを変化させる。変動機構６２はこの波長による光路シフト量Δのずれを補償するように光偏向素子間隔Ｄを変動させることで、常に一定の光路シフト量が得られるようにする。偏向機構６２としては、静電気力による方式、磁気による方式、電歪や磁歪による方式など様々な既存の方法を挙げることができる。
【００６４】
実施の形態９
図１３は、本発明の第九の実施形態について説明するための図で、光路切替装置の構成例を示すものである。上述の光路切替デバイス６０’を二つ用意し（光路切替デバイス６０’ａ，６０’ｂ）、第一の光路切替デバイス６０’ａの傾斜領域の最大傾斜方向と、第二の光路切替デバイス６０’ｂの傾斜領域の最大傾斜方向とがおおむね直交するように配置する。入射光２０は、第一の光路切替デバイス６０’ａによって、縦方向の光路シフトを受け、第二の光路切替デバイス６０’ｂによって、横方向の光路シフトを受ける。これによってＸ、Ｙ両方向の光路シフトを実現できる。
【００６５】
具体例を示す。実施の形態６の光路切替デバイス６０’を二つ、図１３に示すように配置し（光路切替デバイス６０’ａ，６０’ｂ）、図１４に示すシーケンスで各光路切替デバイスに電圧を印加する。このとき、図中のＡ〜Ｄのタイミングでは図１５に示すような光路シフトが行われ、二次元の光路シフトが実現できた。
【００６６】
実施の形態１０
図１６は、本発明の第十の実施形態を説明するための図で、本発明の光路切替デバイスを用いた画像表示装置の構成例を示すものである。画像表示装置７０において、７１はＬＥＤランプを２次元アレイ状に配列した光源であり、この光源７１からスクリーン７６に向けて発せられる光の進行方向には拡散板７２、コンデンサレンズ７３、画像表示素子としての透過型液晶パネル７４、画像パターンを観察するための光学部材としての投射レンズ７５が順に配設されている。また図中、７７は光源７１に対する光源ドライブ部、７８は透過型液晶パネル７４に対する液晶ドライブ部である。
【００６７】
ここに、透過型液晶パネル７４と投射レンズ７５との間の光路上にはピクセルシフト素子として機能する光路切替手段８０が介在されており、ドライブ部７９に接続されている。このような光路切替手段８０としては、前述の実施の形態で例示したような光路切替デバイスもしくは光路切替装置が用いられる。
【００６８】
光源ドライブ部７７で制御されて光源７１から放出された照明光は、拡散板７２により均一化された照明光となり、コンデンサレンズ７３により液晶ドライブ部７８で照明光源と同期して制御されて透過型液晶パネル７４をクリティカル照明する。この透過型液晶パネル７４で空間光変調された照明光は、画像光として光路切替手段８０に入射し、この光路切替手段８０によって画像光が画素の配列方向に任意の距離だけシフトされる。この光は投射レンズ７５で拡大されスクリーン７６上に投射される。
【００６９】
ここに、光路切替手段８０により画像フィールドを時間的に分割した複数のサブフィールド毎の光路の偏向に応じて表示位置がずれている状態の画像パターンを表示させることで、透過型液晶パネル７４の見掛け上の画素数を増倍して表示する。このように光路切替手段８０によるシフト量は透過型液晶パネル７４の画素の配列方向に対して２倍の画素増倍を行うことから、画素ピッチの１／２に設定される。光路シフト量に応じて透過型液晶パネル７４を駆動する画像信号をシフト量分だけ補正することで、見掛け上高精細な画像を表示することができる。この際、光路切替手段８０として、前述した各実施の形態のような光路切替デバイスまたは光路切替装置を用いているので、光の利用効率を向上させ、光源の負荷を増加することなく観察者により明るく高品質の画像を提供できる。
【００７０】
また、入射光として無偏光光を用いることができる構成の場合には、画像表示素子として上述の透過型液晶パネルに限らず、光散乱型液晶パネルやＤＭＤ（デジタルマイクロミラーデバイス）など、あらゆる画像表示素子をそのまま利用することも可能となる。
【００７１】
【発明の効果】
以上の説明から明らかなように、本発明によれば光路切替デバイスを２つ有し、第一の光路切替デバイスの傾斜領域の最大傾斜方向と、第二の光路切替デバイスの傾斜領域の最大傾斜方向とがおおむね直交するように配置することにより、光路を直交する二方向にシフトさせることができる光路切替装置を提供することができる。また、本発明によれば、高分子マトリクス中に液晶材料を分散保持した液晶／高分子複合体の対向する二面が所定の角度で対向するような傾斜領域を有し、前記対向する二面の表面に光透過性の電極を設けることにより、光偏向素子を、偏光依存性がなく、高速で動作する簡易な構成とすることができる。また、液晶を入射光の波長程度以下の粒径を有するドロップレットとすることにより、上記に加えて、さらに、光偏向素子を高速で動作させることができる。
【００７２】
また、電圧無印加時に全ての液晶分子が一方向に配列しているようにすることにより、光偏向素子の偏向角の変化量を大きくすることができる。
【００７３】
また光偏向素子の傾斜領域を、断面が鋸歯形状の周期構造とすることにより、上記に加えて大面積でも光路シフトが可能であり、光偏向素子を低電圧で駆動可能とすることができる。また液晶／高分子複合体の対向する二面の表面に保持基板を設けることにより、光偏向素子の安定性を高くすることができる。
【００７４】
光偏向素子を二つ有し、第一の光偏向素子で偏向された光が、一定間隔をおいて設置された第二の光偏向素子によって入射光と平行になるように第一の光偏向素子および第二の光偏向素子が配置することにより、光路切替デバイスの光路を平行に偏向させることができる。
【００７５】
また保持基板を設けた光偏向素子を前記第一の光偏向素子と前記第二の光偏向素子として用い、第一の光偏向素子の出射側保持基板と第二の光偏向素子の入射側保持基板とを一枚の基板で一体的に構成することにより、光路切替デバイスを低コストにすることができる。
【００７６】
また入射光の波長に応じて第一の光偏向素子と第二の光偏向素子に印加する電圧を変化させる電圧制御機構を有することにより、光路切替デバイスを、入射光の波長が変化しても一定の光路シフト量が得られるようにすることができる。また、入射光の波長に応じて第一の光偏向素子と第二の光偏向素子との間隔を変動させる変動機構を設けることにより、光路切替デバイスを、入射光の波長が変化しても一定の光路シフト量が得られるようにすることができる。
【００７８】
また少なくとも、画像情報にしたがって光を制御することが可能な複数の画素を二次元的に配列した画像表示素子と、該画像表示素子を照明する光源と、前記画像表示素子に表示した画像パターンを観察するための光学部材と、画像フィールドを時間的に分割した複数のサブフィールドごとに前記画像表示素子と前記光学部材の間の光路を偏向する本発明の光路切替装置による光路切替手段とを備えることにより、画素数の少ない画像表示素子を用いて、見かけ上高精細で光利用効率の高い画像表示装置を提供することができる。
【図面の簡単な説明】
【図１】  本発明の第一の実施形態を説明するための図である。
【図２】  液晶／高分子複合体として用いる高分子分散液晶について概念的に示す図である。
【図３】  液晶ドロップレットサイズと応答速度との関係の一例を示したグラフを示すものである。
【図４】  高分子分散液晶の応答速度を測定するための装置の構成例を示す図である。
【図５】  透過率が８０％となる粒径を波長に対してプロットしたグラフである。
【図６】  本発明の第二の実施形態を説明するための図である。
【図７】  本発明の第三の実施形態を説明するための図である。
【図８】  本発明の第四の実施形態を説明するための概略構成図である。
【図９】  本発明の第五の実施形態について説明するための図である。
【図１０】  本発明の第六の実施形態について説明する図である。
【図１１】  本発明の第七の実施形態を説明するための図で、光路切替デバイスの更に他の構成例を示すものである。
【図１２】  本発明の第八の実施形態を説明するための図で、光路切替デバイスの更に他の構成例を示すものである。
【図１３】  本発明の第九の実施形態について説明するための図で、光路切替装置の構成例を示すものである。
【図１４】  光路切替デバイスに印加する電圧のシーケンスの例を示す図である。
【図１５】  図１４のシーケンスに対応する光路シフトについて説明するための図である。
【図１６】  本発明の第十の実施形態を説明するための図である。
【符号の説明】
１１…入射面、１２…出射面、１３…電極、１４…液晶／高分子複合体、１５…液晶ドロップレット、１６…ポリマー、１７…電界、１８…保持基板、１９…中間基板、２０…光線、３１…レーザ、３２…偏光子、３３…レンズ、３４…試料、３５…Ａｕ電極、３６…高分子分散液晶層、３７…Ｓｉ基板、３８…レンズ、３９…検光子、４０…パワーメータ、５０，５０ａ，５０ｂ…光偏向素子、６０，６０’…光路切替デバイス、６０’ａ…第一の光路切替デバイス、６０’ｂ…第二の光路切替デバイス、６１…電圧制御機構、６２…変動機構、７０…画像表示装置、７１…光源、７２…拡散板、７３…コンデンサレンズ、７４…透過型液晶パネル、７５…投射レンズ、７６…スクリーン、７７…光源ドライブ部、７８…液晶ドライブ部、７９…ドライブ部、８０…光路切替手段。
【図１】
0004282263.tif 000002
【図２】
0004282263.tif 000003
【図３】
0004282263.tif 000004
【図４】
0004282263.tif 000005
【図５】
0004282263.tif 000006
【図６】
0004282263.tif 000007
【図７】
0004282263.tif 000008
【図８】
0004282263.tif 000009
【図９】
0004282263.tif 000010
【図１０】
0004282263.tif 000011
【図１１】
0004282263.tif 000012
【図１２】
0004282263.tif 000013
【図１３】
0004282263.tif 000014
【図１４】
0004282263.tif 000015
【図１５】
0004282263.tif 000016
【図１６】
0004282263.tif 000017